(57)【特許請求の範囲】
【請求項１】
フード１と、送風機４を備えたレンジフードであって、
前記フード１に、送風機４の吸込口４１に人の手が入らないようにする防護部材５を取り外し可能に取り付けると共に、この防護部材５をフード１から取り外しできないようにロックすると共に、そのロックを解除するロック機構６を設け、
前記送風機４が駆動していることを検出する手段を設け、該検出手段が送風機駆動を検出しているときにはロック機構６は、前記防護部材５をフード１から取り外しできないようにするロック状態で、送風機駆動を検出しないときにはロック機構６は、前記防護部材５をフード１から取り外しできるロック解除状態となるようにしたことを特徴とするレンジフード。
【請求項２】
前記ロック機構６を、防護部材５を取り外しできないようにロックすると共に、そのロックを解除するロック部材６０と、このロック部材６０をロック状態とロック解除状態に動作する電動アクチュエータ６１より構成し、
前記送風機駆動検出手段により電動アクチュエータ６１を通電制御して送風機駆動時にはロック部材６０をロック状態とし、送風機停止時にはロック部材６０をロック解除状態とするようにした請求項１記載のレンジフード。
【請求項３】
前記送風機駆動検出手段は、モータ４ｃに通電制御する操作スイッチ７とした請求項１又は２記載のレンジフード。
【請求項４】
前記送風機駆動検出手段は、モータ４ｃの回転を検出する回転センサ７８とした請求項１又は２記載のレンジフード。
【請求項５】
前記防護部材５は、整流板５０、フィルター５６、通気用開口５７ａを有した覆板５７のいずれか１つである請求項１〜４いずれか１項記載のレンジフード。
【発明の詳細な説明】
【技術分野】
【０００１】
本発明は、調理器具の周囲に設置されて調理により発生する油煙などの調理ガスを捕集して屋外等へ排気するレンジフードに関する。
【背景技術】
【０００２】
近年、台所用換気装置としてプロペラ式換気扇に変わり、調理器具の周囲に配置されて調理により発生する油煙などの調理ガスを、内蔵する送風機によりフード内部へと捕集し、屋外等へ排気、あるいは各種フィルターにより清浄化した空気を室内へと吹き出すレンジフードが提案されている。
例えば、特許文献１に開示したように、送風機を備えたフードに整流板を設け、フードの内面と整流板との間の隙間を通して油煙などの調理ガスを吸い込んで捕集し、屋外に排気するレンジフードが提案されている。
【先行技術文献】
【特許文献】
【０００３】
【特許文献１】特許第４４０９７１１号公報
【発明の概要】
【発明が解決しようとする課題】
【０００４】
前述した従来のレンジフードは、フード内部や送風機のファンに調理ガス中の油脂分などの油汚れが付着するので、フード内部を人が手作業で清掃することがある。
前述した送風機のファンをフード内部から取り出しできるレンジフードの場合は、フード内部のみではなく、送風機のファンを取り外してフード内部から取り出して清掃することがある。
また、対面式キッチンやアイランド式キッチンなどの普及により、リビングとキッチンが一連にレイアウトされることが多くなっていることから、レンジフードのフード内部や送風機のファンに油汚れが付着しているなどすると、油の臭いがリビング側へと伝わってしまうという悪さからもレンジフードのフード内部の清掃や送風機のファンをフード内部から取り出して清掃する機会が増えている。
前述した従来のレンジフードにおいては、整流板を取り外し、その状態でフードの内部を人が手で拭いて清掃したり、送風機のファンをフード内部から取り出してシンク等で洗うことで清掃する。このレンジフードはフィルターを備えているので、整流板とともにフィルターを取り外して清掃したり、ファンを取り出しする。
しかしながら、前述のようにフード内部を清掃したり、送風機のファンを取り出しするときに、送風機が駆動していると人の手が回転しているファンに触れることがあるので、フード内部を清掃したり、ファンを取り出すときには、コンセントを抜くなどの操作により送風機を停止操作するようにしているが、その送風機の停止操作を忘れてしまった場合には危険が生じる可能性があった。
【０００５】
本発明の目的は、送風機が駆動してファンが回転しているときには、フード内部の清掃や送風機のファンをフード内部から取り出すことができず、それらの作業時に送風機の停止操作を忘れても危険が生じることがないようにしたレンジフードとすることである。
【課題を解決するための手段】
【０００６】
本発明は、フード１と、送風機４を備えたレンジフードであって、
前記フード１に、送風機４の吸込口４１に人の手が入らないようにする防護部材５を取り外し可能に取り付けると共に、この防護部材５をフード１から取り外しできないようにロックすると共に、そのロックを解除するロック機構６を設け、
前記送風機４が駆動していることを検出する手段を設け、該検出手段が送風機駆動を検出しているときにはロック機構６は、前記防護部材５をフード１から取り外しできないようにするロック状態で、送風機駆動を検出しないときにはロック機構６は、前記防護部材５をフード１から取り外しできるロック解除状態となるようにしたことを特徴とするレンジフードである。
【０００７】
本発明においては、前記ロック機構６を、防護部材５を取り外しできないようにロックすると共に、そのロックを解除するロック部材６０と、このロック部材６０をロック状態とロック解除状態に動作する電動アクチュエータ６１より構成し、
前記送風機駆動検出手段により電動アクチュエータ６１を通電制御して送風機駆動時にはロック部材６０をロック状態とし、送風機停止時にはロック部材６０をロック解除状態とするようにできる。
【０００８】
このようにすれば、送風機４が駆動しているときには電動アクチュエータ６１に通電されてロック部材６０がロック状態となるので、防護部材５をフード１から取り外しできないから、送風機４を駆動しているときにはフード１内部の清掃作業やファン４ｂの取り出しする作業を行うことができない。
また、送風機４が駆動していないときには電動アクチュエータ６１に通電されずにロック部材６０がロック解除状態となるので、防護部材５を取り外してフード内部の清掃作業やファンの取り出し作業ができる。
【０００９】
本発明においては、前記送風機駆動検出手段は、モータ４ｃに通電制御する操作スイッチ７とすることができる。
【００１０】
このようにすれば、送風機４を駆動、停止する操作スイッチ７を利用しているから、送風機の駆動を検出するために特別な部材を必要としない。
【００１１】
本発明においては、前記送風機駆動検出手段は、モータ４ｃの回転を検出する回転センサ７８とすることができる。
【００１２】
このようにすれば、モータ４ｃが完全に停止した後にロック機構６がロック解除状態となるようにできるので、ファン４ｂが完全に停止した状態で各作業を行うことになり、ファン４ｂに人の手が触れても問題がない。
【００１３】
本発明においては、前記防護部材５は、整流板５０、フィルター５６、通気用開口５７ａを有した覆板５７のいずれか１つとすることができる。
【発明の効果】
【００１４】
本発明によれば、送風機４が駆動し、そのファン４ｃが回転しているときにはロック機構６により防護部材５をフード１から取り外しできないので、送風機４が駆動しているときにはフード１内部の清掃作業やファンの取り出し作業ができない。
したがって、前述の各作業時に送風機４の停止操作を忘れても危険が生じることはない。
また、送風機４が駆動せずに、そのファン４ｃが回転していないときには防護部材５をフード１から取り外しできるので、フード１内部の清掃作業やファンの取り出し作業ができる。
【図面の簡単な説明】
【００１５】
【図１】本発明の第１の実施の形態を示すレンジフードの縦断面図である。
【図２】図１のＡ−Ａ断面図である。
【図３】図１において整流板を下向き姿勢とした状態の縦断面図である。
【図４】ロック機構部分の拡大断面図である。
【図５】ロック機構の動作説明図である。
【図６】ロック機構の動作説明図である。
【図７】モータ駆動回路図である。
【図８】本発明の第２の実施の形態を示すレンジフードの断面図である。
【図９】本発明の第３の実施の形態を示すレンジフードの断面図である。
【図１０】本発明の第４の実施の形態を示すモータ駆動回路図である。
【図１１】本発明の第５の実施の形態を示すモータ駆動回路図である。
【図１２】本発明の第６の実施の形態を示すモータ駆動回路図である。
【発明を実施するための形態】
【００１６】
本発明の第１の実施の形態を図１〜図５に基づいて説明する。
フード１は、フード本体１ａと送風機収納体１ｂを備え、そのフード本体１ａは外郭２と内郭３を有している。
この外郭２は、上面板２０と周面板２１で下面が開口した箱形状で、その上面板２０に開口部２２が形成してあると共に、周面板２１の周縁下端部には内向きの被取付フランジ２３が設けてある。
前記内郭３は、上面板３０と周面板３１で下向きの皿形状で、その上面板３０の孔３２の周縁に筒体３３が設けてあると共に、周面板３１の周縁下端部に外向きの取付フランジ３４が設けてある。
前記内郭３の筒体３３が外郭２の開口部２２に嵌合すると共に、取付フランジ３４を被取付フランジ２３に着脱自在に連結して外郭２と内郭３を連結してフード本体１ａとしてある。
前記内郭３の下面がフード１の内部である。
【００１７】
前記送風機収納体１ｂは入口側開口２４と出口側開口２５を有した箱形状で、その内部に送風機４が設けてある。
前記送風機収納体１ｂは、その入口側開口２４が筒体３３に嵌め込むように外郭２の上面板２０に取り付けられる。
【００１８】
前記送風機４は、ケーシング４ａ内にファン４ｂを設けると共に、そのケーシング４ａに設けたモータ４ｃでファン４ｂを回転駆動するようにしてある。
前記ケーシング４ａに連通した吐出部４０が出口側開口２５に嵌合し、そのケーシング４ａに形成した吸込口４１が前記筒体３３（孔３２）と連通し、その筒体３３から吸込口４１に手を入れてロック部材４２を弛めることでモータ４ｃの回転軸４３とファン４ｂを分離できると共に、そのロック部材４２を締め付けることでモータ４ｃの回転軸４３とファン４ｂを連結できる。
このようであるから、フード１から送風機４のファン４ｂをフード１内部から容易に取り出しすることができる。
前記モータ４ｃに通電制御する操作スイッチ７はフード１の前面、例えばフード本体１ａの外郭２の周面板２１に取り付けてある。
【００１９】
前記フード１、例えばフード本体１ａの内郭３には、送風機４の吸込口４１の上流側に位置、例えば吸込口４１と間隔を置いて対峙し、人の手が吸込口４１に入らないようにするための防護部材５、例えば整流板５０が取り外し可能に取り付けてある。
前記整流板５０は平板５１の周縁に立上り片５２を設けた形状で、その立上り片５２の後側５２ａに支持軸５３が横向きに設けてある。
前記内郭３の周面板３１の後側３１ａには支持片５４が取り付けてあり、この支持片５４の先端部に前記支持軸５３が上下方向に回動自在で、かつ着脱自在に支持してある。
これにより、整流板５０は図１に示す取り付け姿勢と、図３に示す下向き姿勢とに亘って上下に回動自在であると共に、その下向き姿勢において支持軸５３を支持片５４の先端部から外すことで整流板５０を取り外しできる。
【００２０】
前記内郭３の上面板３０における前部寄りの左右両側に支持部材３５が設けてあると共に、整流板５０の平板５１の前部寄り左右両側に被支持部材５５が設けてあり、この被支持部材５５を支持部材３５で支持することで整流板５０が取り付け姿勢に支持され、その支持を解除することで整流板５０を下向き姿勢に回動できるようにしてある。
【００２１】
前記支持部材３５は、ブラケット３５ａと、このブラケット３５ａに設けた支持ピン３５ｂ、ばねケース３５ｃと、このばねケース３５ｃと支持ピン３５ｂとの間に設けたばね３５ｄを有し、その支持ピン３５ｂがばね３５ｄで支持位置に保持してある。
前記被支持部材５５は、ブラケット５５ａに支持穴５５ｂを形成したもので、整流板５０を下向き姿勢から取り付け姿勢に向けて回動することで、ブラケット５５ａで支持ピン３５ｂを押し、その支持ピン３５ｂが支持穴５５ｂに嵌まり合うことで被支持部材５５が支持部材３５に支持され取り付け姿勢に支持する。その支持ピン３５ｂをばね３５ｄに抗して押すことで支持穴５５ｂから抜き出すことで被支持部材５５の支持が解除され、下向き姿勢に回動することができる。
【００２２】
前記フード１（内郭３の上面板３０）と整流板５０とに亘ってその整流板５０をフード１から取り外しできないようにロックするロック機構６が取り付けてある。
前記フード１には、送風機４が駆動していることを検出する検出手段、例えば前述の操作スイッチ７が設けてある。
前記ロック機構６は、検出手段が送風機駆動を検出しているときにはロック状態で、検出手段が送風機駆動を検出していないときにはロック解除状態となる。
これにより、送風機４が駆動しているとき（ファン４ｂが回転しているとき）には整流板５をフード１から取り外しできないので、フード１内部を清掃したり、ファン４ｂを取り出したりできない。
【００２３】
このロック機構６は図４に示すように、ロック部材６０と、このロック部材６０をロック状態とロック解除状態とに動作する電動アクチュエータ６１を備え、この電動アクチュエータ６１は、通電されているときにはロック部材６０をロック状態とし、通電されていないときにはロック部材６０をロック解除状態とする。
前記ロック部材６０がロック状態のときには整流板５０をフード１から取り外しできないが、ロック解除状態のときには整流板５０をフード１から取り外しできる。
【００２４】
前記ロック部材６０は、整流板５０をフード１（上面板３０）に支持する支持杆６２（前述の支持ピン３５ｂ）と、この支持杆６２を支持位置でロックして支持解放位置に移動しないようにするロック杆６３を備えている。
前記電動アクチュエータ６１はソレノイド６４で、その作動杆６４ａに前記ロック杆６３が連結してあり、ソレノイド６４が通電されると作動杆６４ａによりロック杆６３がロック位置に移動して支持杆６２の凹部６２ａに係合して支持解放位置に移動できないようにロックし、ロック部材６０をロック状態とする。
【００２５】
前記ソレノイド６４が通電されないときには図５に示すように作動杆６４ａによりロック杆６３がロック解除位置に移動して支持杆６２の凹部６２ａから外れ、支持杆６２は支持解放位置に移動できるようになり、ロック部材６０をロック解除状態とする。
ロック解除状態で図６に示すように支持杆６２を人の指で押して支持穴５５ｂから抜き出すことで、整流板５０を取り外しすることができる。
【００２６】
前記電動アクチュエータ６１、例えばソレノイド６４は、図７に示すように送風機４のモータ４ｃに通電制御する回路に設けてある。
前記操作スイッチ７は、図７に示すように強運転スイッチ７０、中運転スイッチ７１、弱運転スイッチ７２、切スイッチ７３、照明スイッチ７４等を備え、強・中・弱スイッチ７０，７１，７２は電源７５と送風機４のモータ４ｃを断続するもので、そのと強・中・弱運転スイッチ７０，７１，７２の出力側とモータ４ｃとの間に前記電動アクチュエータ６１、例えばソレノイド６４が設けてある。
前記照明スイッチ７４は照明具７６に通電するものである。
前記切スイッチ７３はＯＮとなっている運転スイッチをＯＦＦとする。
【００２７】
このようであるから、いずれかの運転スイッチがＯＮの状態、つまり、モータ４ｃに通電されてファン４ｂが回転している送風機４が駆動している状態ではソレノイド６４に通電され、ロック杆６３がロック位置に移動して支持杆６２をロックし、ロック部材６０をロック状態とするので、整流板５０を下向き姿勢又は取り外しすることができない。
したがって、操作スイッチ７の操作で送風機４が駆動していることを検出しているとき、つまりファン４ｂが回転しているときにはフード１の内部を清掃作業したり、ファン４ｂをフード１から取り出す作業ができないから、それらの作業時に送風機４の停止操作を忘れても危険が生じることがない。
【００２８】
また、操作スイッチ７の操作で送風機４の駆動を検出しないとき、つまりファン４ｂが回転しないときには電動アクチュエータ６１に通電されずにロック部材６０がロック解除状態となるから、整流板５０をフード１から取り外しできる。
したがって、フード１内部の清掃作業をしたり、ファン４ｂをフード１から取り出す作業ができる。
【００２９】
この実施の形態では、フード本体１ａと送風機収納体１ｂでフード１としてあるが、フード本体１ａのみでフード１とし、送風機４の吐出部４０をダクト等を介して屋外に排気するようにしても良い。
また、フード本体１ａを外郭２のみで構成しても良い。
【００３０】
前述の実施の形態では、内郭３の内面（フード１の内面）と整流板５０との隙間から流入した油煙等が送風機４の吸込口４１に直接吸い込まれるようにしたが、その吸込口４１の上流側、例えば筒体３３にフィルターを設けても良い。
この場合にはフィルターを取り外してファン４ｂを取り出しする。
【００３１】
次に、本発明の第２の実施の形態を図８に基づいて説明する。
この実施の形態は、防護部材５をフィルター５６としたことが、前述の実施の形態と相違し、他の構成は同様である。
フード１は上面板１ａと周面板１ｂで下面が開口した箱形状で、そのフード１の内部には上仕切板１ｃと下仕切板１ｄが設けてある。
この上仕切板１ｃと下仕切板１ｄとに亘ってフィルター５６を取り外し可能に取り付けてフード１内に送風機収納室１ｅを形成し、この送風機収納室１ｅに送風機４が取り付けてある。
この送風機４の吸込口４１が前記フィルター５６と対峙し、そのフィルター５６が前述の防護部材５である。このフィルター５６はグリスフィルターと呼ばれるものである。
【００３２】
前記上仕切板１ｃには下向き凹部１０、下仕切り板１ｄには上向き凹部１１が相対峙してそれぞれ形成してある。
前記フィルター５６は、その上部が前記下向き凹部１０に嵌まり込むと共に、下部が上向き凹部１１に嵌まり込むことで取り付けられ、上向き凹部１１の底部に設けた弾性材１２で押し上げられて上部が下向き凹部１０の底部に接していると共に、フィルター５６を弾性材１２に抗して押し下げると上部が下向き凹部１０から外れ、フィルター５６の上部を手前側に移動して斜め上方に持ち上げることで下部が上向き凹部１１から抜け出すようにしてある。
このようであるから、フィルター５６を下向き凹部１０と上向き凹部１１とに亘って上下けんどん式に取り付け、取り外しできる。
【００３３】
前記フード１とフィルター５６とに亘ってロック機構６が設けてある。
このロック機構６のロック部材６０は、フィルター５６を下向き凹部１０内で下方に移動しないように支持する支持杆６５を備え、この支持杆６５がフィルター５６の孔５６ａ、下向き凹部１０の孔１０ａに挿入することで、ロック部材６０はロック状態となり、その支持杆６５が前記孔５６ａ、孔１０ａから抜け出すことでロック部材６０はロック解除状態となる。
前記ロック機構６の電動アクチュエータ６１はソレノイド６４で、そのソレノイド６４の作動杆６４ａに支持杆６５が連結してある。
前記ソレノイド６４に通電すると支持杆６５が各孔５６ａ，１０ａに挿入し、通電しないと支持杆６５が各孔５６ａ，１０ａから抜け出すようにしてある。
【００３４】
このようであるから、ソレノイド６４（電動アクチューエータ６１）を図７に示すように、モータ４ｃの通電回路に設けることで、操作スイッチ７のいずれかの運転スイッチを操作してモータ４ｃに通電して送風機４を駆動しているとき、つまり、送風機駆動を検出しているときにはソレノイド６４に通電されて支持杆６５が各孔５６ａ，１０ａに挿入してフィルター５６を下方に移動できないから、そのフィルター５６を取り外しできないので、送風機４が駆動しているときには清掃作業、取り出し作業ができず、それらの作業時に送風機４の停止操作を忘れても危険が生じることがない。
【００３５】
前記操作スイッチ７のいずれの運転スイッチも操作されずにモータ４ｃに通電されないとき、つまり、送風機駆動を検出しているときには、ソレノイド６４に通電されずに支持杆６５は各孔６５ａ，１０ａから抜け出し、フィルター５６を下方に移動できるから、そのフィルター５６を取り外しできるので、送風機４が停止しているときには前述の清掃作業、取り出し作業をすることができる。
【００３６】
次に、本発明の第３の実施の形態を図９に基づいて説明する。
フード１は、上面板１ａと、周面板１ｂと、周面板１ｂの下部周縁に沿って設けた環状の下部内向板１ｆとで、下部に吸込み用開口１ｇを有する形状である。
この下部内向板１ｆに覆板５７を取り外し可能に取り付けてある。例えばねじ５８で取り付けてある。
この覆板５７は前記吸込み用開口１ｇを閉塞すると共に、送風機４の吸込口４１と対峙し、その吸込口４１に人の手が入り込むことがないように保護し、覆板５７は前述の防護部材５である。
【００３７】
前記覆板５７の前後・左右縁寄りにはスリット形状の通気用開口５７ａが形成され、送風機４を駆動すると通気用開口５７ａから油煙等の調理ガスをフード１内部に捕集し、屋外等に排気する。
図９に示すレンジフードにおいては、フード１の上面板１ａの下面、つまりフード１の内面に調理ガスが衝突するバッフルプレート（図示せず）を設け、そのバッフルプレートの表面に油汚れ等が付着するようにしてある。このバッフルプレートは覆板５７の上面に設けることもできる。
【００３８】
前記フード１（下部内向板１ｆ）と覆板５７とに亘ってロック機構６が設けてある。
このロック機構６のロック部材６０は、覆板５７に取り付けた支持杆６６と、ロック杆６７を備え、その支持杆６６は下部内向板１ｆの孔１３に挿通し、この支持杆６６のロック用孔６６ａにロック杆６７が挿入すると覆板５７が取り外しできないようにロックしてロック部材６０はロック状態となる。
前記支持杆６６がロック用孔６６ａから抜け出すと覆板５７が取り外し可能となり、ロック部材６０はロック解除状態となる。
【００３９】
前記電動アクチュエータ６１はソレノイド６４で、その作動杆６４ａにロック杆６７が連結してある。
このソレノイド６４が通電されるとロック杆６７がロック用孔６６ａに挿入し、通電されないとロック杆６７がロック用孔６６ａから抜け出すようにしてある。
前記ソレノイド６４は図７に示すように操作スイッチ７とモータ４ｃを接続する回路に設けられ、モータ４ｃに通電されるとソレノイド６４に通電されると共に、モータ４ｃに通電されないときにはソレノイド６４に通電されない。
【００４０】
このようであるから、操作スイッチ７のいずれかの運転スイッチを操作してモータ４ｃに通電しているとき、つまり、送風機駆動を検出しているときには、ソレノイド６４に通電されてロック部材６０がロック状態となるので、覆板５７を取り外しできない。
したがって、電動モータ４ｃに通電されている送風機４が駆動状態のときにはフード１内部の清掃作業やフィルタ４ｃの取り出し作業ができないので、それらの作業開始時に送風機４の停止操作を忘れても危険が生じることがない。
【００４１】
また、操作スイッチ７のいずれの運転スイッチも操作せずに送風機４が停止しているとき、つまり、送風機駆動を検出しないときには、ソレノイド６４に通電されずにロック部材６０がロック解除状態となるので、覆板５７を取り外しできる。
したがって、送風機４が停止しているときにはフード１内部の清掃作業やファン４ｂの取り出し作業ができる。
【００４２】
前述の各実施の形態では、電動アクチュエータ６１をソレノイド６４としたが、これに限ることはなく、小型の電動モータや電動シリンダなどでも良い。
前述の各実施の形態では、操作スイッチ７を送風機駆動検出手段とし、運転スイッチをＯＮしてモータ４ｃに通電しているときを送風機駆動検出しているときとし、運転スイッチをＯＦＦしてモータ４ｃに通電していないときを送風機駆動を検出しないときとしたが、これに限ることはない。
【００４３】
例えば図１０に示すように操作スイッチ７に運転スイッチと連動してＯＮ，ＯＦＦする連動スイッチ７７を設け、この連動スイッチ７７がＯＮのときに電動アクチュエータ６１（ソレノイド６４）に通電し、連動スイッチ７７がＯＦＦのときには電動アクチュエータ６１（ソレノイド６４）に通電しないようにする。
つまり、連動スイッチ７７がＯＮのときが送風機駆動を検出しているときで、ＯＦＦのときが送風機駆動を検出しないときである。
【００４４】
前記送風機駆動検出手段はモータ４ｃの回転を検出する回転センサとしても良い。この回転センサとしては回転数を検出する回転計、タコジェネレータなどが用いられる。
例えば、図１１に示すようにモータ４ｃの回転を検出する回転センサ７８を設け、この回転センサ７８で検出したモータ回転をコントローラ７９に入力する。
前述した電源回路の操作スイッチ７の入力側に、補助スイッチ６８を介して電動アクチュエータ６１（ソレノイド６４）を接続する。
前記回転センサ７８が回転を検出しているときが送風機駆動を検出しているときで、そのときにはコントローラ７９は補助スイッチ６８をＯＮして電動アクチュエータ６１に通電してロック部材６０をロック状態とする。
前記回転センサ７８が回転を検出しないときが送風機駆動を検出しないときで、そのときにはコントローラ７９が補助スイッチ６８をＯＦＦして電動アクチュエータ６１に通電されなくしてロック部材６０をロック解除状態である。
【００４５】
このようにすれば、モータ４ｃが完全に停止した後にロック機構６がロック解除状態となるので、整流板５０を取り外してフード１内部を清掃作業したり、ファン４ｂを取り出す作業をするときにファン４ｂが完全に停止しているので、そのファン４ｂに人の手が触れても問題はない。
【００４６】
前述の実施の形態では、操作スイッチ７の運転スイッチで電源とモータ４ｃを接続してモータ４ｃに通電制御したが、これに限ることはない。
例えば、図１２に示すように、操作スイッチ７からの信号をコントローラ９に送り、その信号に基づいてコントローラ９がモータ４ｃに通電制御する制御方式のレンジフードとし、送風機駆動検出手段９ａの検出信号をコントローラ９に送り、そのコントローラ９で電動アクチュエータ６１に通電制御するようにしても良い。
【００４７】
前記送風機駆動検出手段９ａが操作スイッチ７の運転スイッチのＯＮ，ＯＦＦである場合には、コントローラ９にＯＮ信号が入力されたときに電動アクチュエータ６１に通電し、ＯＦＦ信号が入力されたら電動アクチュエータ６１に通電しなくする。
【００４８】
前記送風機駆動検出手段９ａが連動スイッチ７７の場合には、その連動スイッチ７７のＯＮ信号がコントローラ９に入力されたときに電動アクチュエータ６１に通電し、ＯＦＦ信号が入力されたら電動アクチュエータ６１に通電しなくする。
【００４９】
前記送風機駆動手段９ａが回転センサ７８の場合には、その回転検出信号がコントローラ９に入力されたときに電動アクチュエータ６１に通電し、回転検出信号が入力されないときに電動アクチュエータ６１に通電しなくする。
【符号の説明】
【００５０】
１…フード、４…送風機、４ｂ…ファン、４ｃ…モータ、５…防護部材、６…ロック機構、７…操作スイッチ、４１…吸込口、５０…整流板、５６…フィルター、５７…覆板、５７ａ…通気用開口、６０…ロック部材、６１…電動アクチュエータ、７７…連動スイッチ、７８…回転センサ。
【図１】
0005777963.tif 000002
【図２】
0005777963.tif 000003
【図３】
0005777963.tif 000004
【図４】
0005777963.tif 000005
【図５】
0005777963.tif 000006
【図６】
0005777963.tif 000007
【図７】
0005777963.tif 000008
【図８】
0005777963.tif 000009
【図９】
0005777963.tif 000010
【図１０】
0005777963.tif 000011
【図１１】
0005777963.tif 000012
【図１２】
0005777963.tif 000013